(57)【要約】【課題】  初回使用後の保存状態においても、開口部を閉塞しているゴム栓の上面が汚染される虞のない薬用瓶の蓋を提供することを課題とする。【解決手段】  薬液を収納した薬用瓶１０の瓶口部１１の開口部はゴム栓１２によって閉塞されている。１１ａは瓶口部１１に形成されている鍔部である。頂面板２０ａに透孔２１を有する口金２０は、その下端部を鍔部１１ａに巻き締め固定される。合成樹脂製の瓶側固定部材３０は、口金２０に冠着した状態で、固定用円筒部３２によって口金２０に固定される。固定用円筒部３２の内側に形成された透孔３１に着脱自在に嵌合する円状突起部４１が配設されている蓋部材４０によってゴム栓１２の上面の汚染を防ぐことができる。【選択図】  図１
0003166950.tif 000002
【実用新案登録請求の範囲】
【請求項１】
内部に収納する薬液を注入する開口部の周囲に外周方向に延在する鍔部が形成されている瓶口部を有し、前記開口部がゴム栓により閉塞されている薬用瓶の前記瓶口部に装着される薬用瓶の蓋であって、
前記瓶口部に冠着固定される口金であって、中央部に透孔を有する円盤状の頂面板と該頂面板の周縁部に連設される円筒状の周胴部とからなる逆有底円筒状のアルミ等の金属薄板からなる口金と、
該口金の上部に冠着する、円盤状の上面板と該上面板の周縁部に連設される円筒状の側壁部とからなる逆有底円筒状の合成樹脂製の瓶側固定部材であって、前記上面板の下面側の中央部には、当該瓶側固定部材を前記口金に冠着させた際に前記口金の前記透孔に挿入可能な円筒体でその外周方向に折り曲げ可能な固定用円筒部が形成され、該固定用円筒部の内側の前記上面板には透孔が形成され瓶側固定部材と、
該瓶側固定部材の前記上面板と略同じ大きさの円盤状に構成され、且つその下側の中央部には、前記瓶側固定部材の透孔に着脱自在に嵌合する円状突起部が形成されている合成樹脂製の蓋部材とを具備することを特徴とする薬用瓶の蓋。
【請求項２】
内部に収納する薬液を注入する開口部の周囲に外周方向に延在する鍔部が形成されている瓶口部を有し、前記開口部がゴム栓により閉塞されている薬用瓶の前記瓶口部に装着される薬用瓶の蓋であって、
前記瓶口部に冠着した状態で固定される合成樹脂製の瓶側固定部材と、該瓶側固定部材に着脱自在に嵌着する合成樹脂製の蓋部材とからなり、
前記瓶口部に冠着する瓶側固定部材は、中央部に透孔を有する円盤状の上面板と該上面板の周縁部に連設される円筒状の側壁部とによって構成され、前記側壁部の内側には、前記瓶口部に冠着させた際に前記瓶口部の前記鍔部の下側に位置する内側に突出した係合突起部が環状に配設され、
前記蓋部材は、前記瓶側固定部材の前記上面板と略同じ大きさの円盤状に構成され、且つその下側の中央部には、前記瓶側固定部材の透孔に着脱自在に嵌合する円状突起部が形成されていることを特徴とする薬用瓶の蓋。
【考案の詳細な説明】
【技術分野】
【０００１】
本考案は、薬液を収納する薬用瓶の蓋、殊に同一薬用瓶内の薬液を多数回使用する試薬等の薬液を収納する薬用瓶の蓋に関するものである。
【背景技術】
【０００２】
検査用の試薬等の薬液は、従来図７に示したような構成の薬用瓶に収納されている。
【０００３】
図７において、１０は薬液１を収納する薬用瓶であり、その瓶口部１１には薬液１を注入する開口部が形成されている。この開口部の周囲の瓶口部１１には、外周方向に延在する鍔部１１ａが形成されている。
【０００４】
瓶口部１１の開口部はゴム栓１２によって閉塞されていて、このゴム栓１２は外れないように口金２０によって固定されている。
【０００５】
口金２０は、中央部に透孔２１を有する円盤状の頂面板２０ａと、この頂面板２０ａの周縁部に連設されている円筒状の周胴部２０ｂとからなる逆有底円筒状にアルミ等の金属薄板を加工して形成したものであり、円筒状の周胴部２０ｂの下端部は薬用瓶１０の鍔部１１ａに巻き締め固定されている。
【０００６】
このように構成された薬液１を収納した薬用瓶１０は、口金２０を含めた瓶口部の上部に合成樹脂製の保護フィルム２２を密着させた状態にして病院や研究所等の使用場所に運ばれる。
【０００７】
病院や研究所等で薬液１を使用する場合には、図８（ａ）に示したように上部に密着している保護フィルム２２を、図８（ｂ）に示したように外して口金２０の透孔２１からゴム栓１２の上面が露出するようにする。そして、このゴム栓１２の上面に注射器の注射針を刺して、適量の薬液１を注射器に移してその薬液１を使用する。
【考案の概要】
【考案が解決しようとする課題】
【０００８】
このように構成された従来の薬用瓶においては、薬液１を次回の使用まで保存する場合、口金２０の透孔２１から露出しているゴム栓１２の上面が汚染されてしまう虞があり、ゴム栓１２の上面が汚染された場合には、次回の使用に際してゴム栓１２に挿通させる注射針ひいては使用される薬液１自体が汚染されてしまう虞があった。
【課題を解決するための手段】
【０００９】
以上の問題点を解消するために、本考案の第１の手段は、内部に収納する薬液を注入する開口部の周囲に外周方向に延在する鍔部が形成されている瓶口部を有し、前記開口部がゴム栓により閉塞されている薬用瓶の前記瓶口部に装着される薬用瓶の蓋であって、前記瓶口部に冠着固定される口金であって、中央部に透孔を有する円盤状の頂面板と該頂面板の周縁部に連設される円筒状の周胴部とからなる逆有底円筒状のアルミ等の金属薄板からなる口金と、該口金の上部に冠着する、円盤状の上面板と該上面板の周縁部に連設される円筒状の側壁部とからなる逆有底円筒状の合成樹脂製の瓶側固定部材であって、前記上面板の下面側の中央部には、当該瓶側固定部材を前記口金に冠着させた際に前記口金の前記透孔に挿入可能な円筒体でその外周方向に折り曲げ可能な固定用円筒部が形成され、該固定用円筒部の内側の前記上面板には透孔が形成され瓶側固定部材と、該瓶側固定部材の前記上面板と略同じ大きさの円盤状に構成され、且つその下側の中央部には、前記瓶側固定部材の透孔に着脱自在に嵌合する円状突起部が形成されている合成樹脂製の蓋部材とを具備することを特徴とするものである。
【００１０】
また、以上の問題点を解消するために、本考案の第２の手段は、内部に収納する薬液を注入する開口部の周囲に外周方向に延在する鍔部が形成されている瓶口部を有し、前記開口部がゴム栓により閉塞されている薬用瓶の前記瓶口部に装着される薬用瓶の蓋であって、前記瓶口部に冠着した状態で固定される合成樹脂製の瓶側固定部材と、該瓶側固定部材に着脱自在に嵌着する合成樹脂製の蓋部材とからなり、前記瓶口部に冠着する瓶側固定部材は、中央部に透孔を有する円盤状の上面板と該上面板の周縁部に連設される円筒状の側壁部とによって構成され、前記側壁部の内側には、前記瓶口部に冠着させた際に前記瓶口部の前記鍔部の下側に位置する内側に突出した係合突起部が環状に配設され、前記蓋部材は、前記瓶側固定部材の前記上面板と略同じ大きさの円盤状に構成され、且つその下側の中央部には、前記瓶側固定部材の透孔に着脱自在に嵌合する円状突起部が形成されていることを特徴とするものである。
【考案の効果】
【００１１】
本考案によれば、初回使用後の保存状態においても、開口部を閉塞しているゴム栓の上面が汚染される虞のない薬用瓶の蓋を提供することができる。
【図面の簡単な説明】
【００１２】
【図１】本考案の実施例１の構成を示す分解斜視図である。
【図２】本考案の実施例１の構成を示す断面図である。
【図３】本考案の実施例１の構成を示す斜視図である。
【図４】本考案の実施例１の説明図である。
【図５】本考案の実施例２の構成を示す斜視図である。
【図６】本考案の実施例２の構成を示す断面図である。
【図７】従来の薬用瓶の構成を示す断面図である。
【図８】従来の薬用瓶の説明図である。
【考案を実施するための形態】
【００１３】
以下、図面を用いて本考案の実施例について説明する。
【実施例１】
【００１４】
図１は、本考案の実施例１の構成を示した分解斜視図であり、図２は、本実施例の構成を示した断面図である。
【００１５】
図１および図２において、薬液１を収納した薬用瓶１０とゴム栓１２と口金２０の構成は先に説明した従来例と同様の構成であるのでその説明は省略する。
【００１６】
図１および図２において、３０は口金２０に冠着固定される合成樹脂製の瓶側固定部材であり、４０は瓶側固定部材３０に着脱自在に嵌合する合成樹脂製の蓋部材である。
【００１７】
瓶側固定部材３０は、円盤状の上面板３０ａとその上面板の周縁部に連設された円筒状の側壁部３０ｂとからなる逆有底円筒状に構成されている。また、この瓶側固定部材３０の円盤状の上面板３０ａの中央部の下側には、口金２０に冠着させた際に口金２０の透孔２１に挿入可能な円筒体であってその外側方向に折り曲げ可能な固定用円筒部３２が形成されている（図１および図２では折り曲げられた状態を示している）。この固定用円筒部３２の内側の上面板３０ａには透孔３１が形成されている。
【００１８】
蓋部材４０は、瓶側固定部材３０の上面板３０ａと略同じ大きさの円盤状に形成されている。この円盤状の蓋部材４０の中央部の下側には、瓶側固定部材３０の透孔３１に着脱自在に嵌合する円状突起部４１が形成されている。
【００１９】
以上のように構成された本実施例１においては、図３に示したように、運搬途中で蓋部材４０が外れないように、従来例と同様に保護フィルム２２を装着した状態にして使用場所に運搬する。
【００２０】
本実施例１の使用に際しては、従来例と同様に保護フィルム２２を外した後、図４に示したように瓶側固定部材３０から蓋部材４０を外して従来と同様にゴム栓１２に注射針を刺して内部の薬液１を注射器に移して使用する。そして、薬液１の使用後には、蓋部材４０の円状突起部４１を、瓶側固定部材３０の透孔３１に嵌めて次回に使用するまで保存する。この保存期間中、蓋部材４０によってゴム栓１２の上面の汚染は防止されることになる。
【実施例２】
【００２１】
図５は、本考案の実施例２の構成を示した斜視図であり、図６はその断面図である。
【００２２】
図５および図６において、実施例１を示した図１および図２と同一符号のものは同一のものを示しているのでその説明は省略する。本実施例２が実施例１と異なるところは、実施例１においては瓶側固定部材３０が口金２０を介して薬用瓶１０の瓶口部に固定される構成となっているが、本実施例２においては、口金２０を設けずに、瓶側固定部材３０が瓶口部１１に直接固定される構成となっているところである。
【００２３】
即ち、本実施例２においては図６に示したように瓶側固定部材３０の円筒状の側壁部３０ｂの内側に、瓶口部１１に冠着させた際（図６に示す状態）、瓶口部１１の鍔部１１ａの下側に位置するように内側方向に突出した係合突起部３３が環状に配設されているところである。以上のように構成された本実施例２において、合成樹脂製の瓶側固定部材３０は、瓶口部１１に被せて上部から押圧することにより瓶口部１１に装着するものである。
【００２４】
その他の構成や使用方法は先に説明した実施例１と同様であるので、その説明は省略する。
【符号の説明】
【００２５】
１  薬液
１０  薬用瓶
１１  瓶口部
１１ａ  鍔部
１２  ゴム栓
２０  口金
２０ａ  頂面板
２０ｂ  周胴部
２１，３１  透孔
３０  瓶側固定部材
３０ａ  上面板
３０ｂ  側壁部
３２  固定用円筒部
３３  係合突起部
４０  蓋部材
４１  円状突起部
【図１】
0003166950.tif 000003
【図２】
0003166950.tif 000004
【図３】
0003166950.tif 000005
【図４】
0003166950.tif 000006
【図５】
0003166950.tif 000007
【図６】
0003166950.tif 000008
【図７】
0003166950.tif 000009
【図８】
0003166950.tif 000010